(57)【要約】  本発明に係る管路タービン多段設置を通じた揚水発電タワーは、揚水管４１０に配管され、下部貯水槽３００に充填された水が上部貯水槽２００に揚水されるようにするポンプ４００と；前記上部貯水槽２００の一側底面から流入口導水管路５１０が接続され、螺旋傾斜道路１００に沿って下部貯水槽３００の位置まで配管され、発電のための流量が内部に通過する導水配管路５００と；流量が内部に通過する管路２２の中央に貫通する駆動軸２と、前記駆動軸２を支持しながら回転自在に設置され、前記管路２２の内側面に向かってアーム６が延長される管路支持台本体４と、前記各管路支持台本体４間で前記駆動軸２に固定され、流量の移動によって回転するプロペラ７と、前記駆動軸２の回転力を受けながら電気を発電させる発電機１０とを含んで構成される管路タービンユニット６００と；を含み、前記管路タービンユニット６００が前記導水配管路５００に少なくとも２個以上多段に配置されることを特徴とする。
2021535978.tif 000002
【特許請求の範囲】
【請求項１】
揚水管（４１０）に配管され、下部貯水槽（３００）に充填された水が上部貯水槽（２００）に揚水されるようにするポンプ（４００）と；
前記上部貯水槽（２００）の一側底面から流入口導水管路（５１０）が接続され、螺旋傾斜道路（１００）に沿って下部貯水槽（３００）の位置まで配管され、発電のための流量が内部に通過する導水配管路（５００）と；
流量が内部に通過する管路（２２）の中央に貫通する駆動軸（２）と、前記駆動軸（２）を支持しながら回転自在に設置され、前記管路（２２）の内側面に向かってアーム（６）が延長される管路支持台本体（４）と、前記各管路支持台本体（４）間で前記駆動軸（２）に固定され、流量の移動によって回転するプロペラ（７）と、前記駆動軸（２）の回転力を受けながら電気を発電させる発電機（１０）と、を含んで構成される管路タービンユニット（６００）と；を含み、
前記管路タービンユニット（６００）は、前記導水配管路（５００）に少なくとも２個以上多段に配置されることを特徴とする管路タービン多段設置を通じた揚水発電タワー。
【請求項２】
前記管路タービンユニット（６００）は、
前記各管路支持台本体（４）間で前記駆動軸（２）と共に回転する内部ギア（８）と、前記内部ギア（８）に動力伝達手段を介して回転力が伝達され、前記管路（２２）の外部でシャフト（１１）と共に駆動する外部ギア（１３）と、をさらに含み、
前記発電機（１０）は、前記外部ギア（１３）及びシャフト（１１）を介して回転力を受けることを特徴とする、請求項１に記載の管路タービン多段設置を通じた揚水発電タワー。
【請求項３】
前記各管路支持台本体（４）の各先端部位置には、前記駆動軸（２）と一体に結合された圧力支え台（３）が設置され、前記管路支持台本体（４）と前記圧力支え台（３）との接触部間にはスラストベアリング（２６）が構成されることを特徴とする、請求項１に記載の管路タービン多段設置を通じた揚水発電タワー。
【請求項４】
前記管路支持台本体（４）のアーム（６）は平板状にし、流線に抵抗する断面積は最小化し、軸方向の長さは前記管路（２２）の半径より長くすることを特徴とする、請求項１に記載の管路タービン多段設置を通じた揚水発電タワー。
【請求項５】
前記管路（２２）の下端部には、蛇管構造からなるフレキシブル管（１８）がさらに延長設置されることを特徴とする、請求項１に記載の管路タービン多段設置を通じた揚水発電タワー。
【請求項６】
数個の内部骨組柱（１１６）及び外部骨組柱（１１４）によって支持され、地上から螺旋状に沿って所定の高さまで連結される螺旋傾斜道路（１００）と；
前記螺旋傾斜道路（１００）の上部に位置し、各内部骨組柱（１１６）及び各外部骨組柱（１１４）によって支持された状態で内部に水が充填される上部貯水槽（２００）と；
上部貯水槽（２００）との高さ差を維持した状態で地面に位置する下部貯水槽（３００）と；をさらに含むことを特徴とする、請求項１に記載の管路タービン多段設置を通じた揚水発電タワー。
【請求項７】
前記螺旋傾斜道路（１００）の内側中央には、地面から各階及び前記上部貯水槽（２００）の最上部側位置まで昇降するエレベーター（７００）がさらに設置されることを特徴とする、請求項６に記載の管路タービン多段設置を通じた揚水発電タワー。
【発明の詳細な説明】
【技術分野】
【０００１】
本発明は、管路タービン多段設置を通じた揚水発電タワーに関し、より詳細には、螺旋状構造からなる円柱状タワーの螺旋傾斜道路に沿って管路を連結し、上部貯水槽と下部貯水槽との間に落差を確保し、揚水ポンプで揚水された発電流量が螺旋道路に沿って移動する導水管路に管路タービンを多段設置し、低費用で多くの電力を生産することができ、電力の品質維持及び安定的な供給を可能にする揚水発電タワーに関する。
【背景技術】
【０００２】
無停電電源（ｕｎｉｎｔｅｒｒｕｐｔｉｂｌｅ  ｐｏｗｅｒ  ｓｕｐｐｌｙ：ＵＰＳ）を構築したり、発電された電力を貯蔵するためにＥＳＳ（Ｅｎｅｒｇｙ  Ｓｔｏｒａｇｅ  Ｓｙｓｔｅｍ）を使用する。ＥＳＳは、過剰に生産された電力や商用電力を貯蔵しておいた後、一時的な電力不足時又は断電時に電力を提供する。ＥＳＳは、主にバッテリーを使用するバッテリー式であって、リチウムイオンなどを使用しているが、このような素材の価格が漸次上昇することによって経済性が低くなり、高価格化が進められている実情にある。
【０００３】
一方、揚水発電は、落差確保のために高い標高差を有する山岳地形を選択し、ダムや貯水池などを必要とするので、このような揚水発電を都市地域又は工場地域や太陽光発電団地に適用することは難しかった。さらに、このような地域に揚水発電システムを構築したとしても、大型タービン及び大型発電機まで設置しなければならないので、空間的な制約及びシステム構成上の費用負担が大きい状況である。
【０００４】
また、システムの安定性を高めるために、バックアップのためのタービン及び発電機まで設置した場合、このような制約及び負担がさらに増大するという問題がある。
【先行技術文献】
【特許文献】
【０００５】
【特許文献１】大韓民国実用新案登録第２０−０４７８７４８号公報（登録日：２０１５年１１月０５日）
【特許文献２】大韓民国特許登録第１０−１８６８９７３号公報（登録日：２０１８年０６月１２日）
【発明の概要】
【発明が解決しようとする課題】
【０００６】
本発明の目的は、低費用で効率的な電力生産が可能な電力貯蔵及び生産システムを構築することにある。
【０００７】
また、本発明の他の目的は、水の位置エネルギーによるＥＳＳの構築に利用可能なシステムを提供することにある。
【０００８】
また、本発明の更に他の目的は、設置場所に制約要件がないので、所望の地域で短期間に建設が可能であり、追加増設が容易な電力貯蔵及び生産システムを提供することにある。
【０００９】
また、本発明の更に他の目的は、公害物質の排出がなく、環境にやさしく、経済的な費用で安定性が高い電力貯蔵及び生産システムを提供することにある。
【課題を解決するための手段】
【００１０】
本発明に係る管路タービン多段設置を通じた揚水発電タワーは、揚水管４１０に配管され、下部貯水槽３００に充填された水が上部貯水槽２００に揚水されるようにするポンプ４００と；前記上部貯水槽２００の一側底面から流入口導水管路５１０が接続され、螺旋傾斜道路１００に沿って下部貯水槽３００の位置まで配管され、発電のための流量が内部に通過する導水配管路５００と；流量が内部に通過する管路２２の中央に貫通する駆動軸２と、前記駆動軸２を支持しながら回転自在に設置され、前記管路２２の内側面に向かってアーム６が延長される管路支持台本体４と、前記各管路支持台本体４間で前記駆動軸２に固定され、流量の移動によって回転するプロペラ７と、前記駆動軸２の回転力を受けながら電気を発電させる発電機１０とを含んで構成される管路タービンユニット６００と；を含み、前記管路タービンユニット６００が前記導水配管路５００に少なくとも２個以上多段に配置されることを特徴とする。
【００１１】
前記のような管路タービン多段設置を通じた揚水発電タワーにおいて、前記管路タービンユニット６００は、前記各管路支持台本体４間で前記駆動軸２と共に回転する内部ギア８と、前記内部ギア８に動力伝達手段を介して回転力が伝達され、前記管路２２の外部でシャフト１１と共に駆動する外部ギア１３とをさらに含み、前記発電機１０は、前記外部ギア１３及びシャフト１１を介して回転力を受けることができる。
【００１２】
前記のような管路タービン多段設置を通じた揚水発電タワーにおいて、前記各管路支持台本体４の各先端部位置には、前記駆動軸２と一体に結合された圧力支え台３が設置され、前記管路支持台本体４と前記圧力支え台３との接触部間にはスラストベアリング２６が構成され得る。
【００１３】
前記のような管路タービン多段設置を通じた揚水発電タワーにおいて、前記管路支持台本体４のアーム６は平板状にし、流線に抵抗する断面積は最小化し、軸方向の長さは前記管路２２の半径より長くすることができる。
【００１４】
前記のような管路タービン多段設置を通じた揚水発電タワーにおいて、前記管路２２の下端部には、蛇管構造からなるフレキシブル管１８がさらに延長設置され得る。
【００１５】
前記のような管路タービン多段設置を通じた揚水発電タワーにおいて、数個の内部骨組柱１１６及び外部骨組柱１１４によって支持され、地上から螺旋状に沿って所定の高さまで連結される螺旋傾斜道路１００と、前記螺旋傾斜道路１００の上部に位置し、各内部骨組柱１１６及び各外部骨組柱１１４によって支持された状態で内部に水が充填される上部貯水槽２００と、上部貯水槽２００との高さ差を維持した状態で地面に位置する下部貯水槽３００とをさらに含み得る。
【００１６】
前記のような管路タービン多段設置を通じた揚水発電タワーにおいて、前記螺旋傾斜道路１００の内側中央には、地面から各階及び前記上部貯水槽２００の最上部側位置まで昇降するエレベーター７００がさらに設置され得る。
【発明の効果】
【００１７】
本発明に係る管路タービン多段設置を通じた揚水発電タワーにおいては、低価格でありながら小型であるプロペラ７及び発電機１０などを用いて管路タービンユニット６００を構成することができ、これを導水管路の代わりに多段設置することによって、低費用でも大きな電力を貯蔵及び生産できるようになり、必要に応じて設置台数を容易に増減できるという長所がある。
【００１８】
また、本発明に係る管路タービン多段設置を通じた揚水発電タワーにおいては、導水配管路５００の代わりに管路タービンをその位置に設置するので、効率的な電力貯蔵及び生産が可能であり、設置空間が節約されるという長所がある。
【００１９】
また、本発明に係る管路タービン多段設置を通じた揚水発電タワーを用いると、上部貯水槽２００と下部貯水槽３００との間に螺旋状に沿って多段設置することによって、水の位置エネルギーによるＥＳＳの構築が可能であるという長所がある。
【００２０】
また、本発明に係る管路タービン多段設置を通じた揚水発電タワーにおいては、多数の管路タービンユニット６００を多段設置するので、そのうちの１つや２つが故障したとしても、残りの管路タービンユニット６００が正常に発電可能であるので、電力供給の安定性が高く、低費用で具現可能であるという長所がある。
【００２１】
また、本発明に係る管路タービン多段設置を通じた揚水発電タワーにおいては、管路配管を組み立てる方法で簡単に発電装置の設置が可能であるという長所がある。
【００２２】
また、本発明に係る管路タービン多段設置を通じた揚水発電タワーにおいては、電力需要が必要な地域に簡単に設置可能であり、与えられた流量でも発電容量を大幅に増大させることができる。
【００２３】
また、本発明に係る管路タービン多段設置を通じた揚水発電タワーにおいては、実需要地域を選択して建設するようになるので、送電塔や送電線路の建設を最小化させることができ、短期間に総発電容量の増設が可能になる。
【００２４】
また、本発明に係る管路タービン多段設置を通じた揚水発電タワーにおいては、自然環境の毀損がなく、発電過程で環境汚染物質を全く排出していない清浄エネルギーを得ることができ、どの地域でも年中発電運用が可能であるという効果がある。
【図面の簡単な説明】
【００２５】
【図１】本発明の一実施形態に係る管路タービンユニットの構成を示した斜視図である。
【図２】図１の縦断面図である。
【図３】図１の平面図である。
【図４】本発明の管路にボールチェーンが通過する位置に穴及び固定台設置用ボルト穴が穿孔される状態を示した要部図である。
【図５】管路支持台本体と固定台との分解状態を示した平面図である。
【図６】本発明の一実施形態に係る管路タービンユニットが導水配管路に沿って螺旋状に多段設置された状態を示した要部斜視図である。
【図７】本発明の全体の装置構成を示した縦断面図である。
【図８】図７のＡ−Ａ線横断面図である。
【図９】エアベントが備えられたエアベント管の構成を示した断面図である。
【発明を実施するための形態】
【００２６】
本発明の目的、特定の長所及び新規の特徴は、添付の各図面と関連付けられる以下の詳細な説明及び各実施形態からさらに明らかになるだろう。本明細書において、各図面の各構成要素に参照番号を付する際、同一の構成要素には、たとえ他の図面上に表示されたとしても、可能な限り同一の番号を付していることに留意しなければならない。
【００２７】
また、本発明を説明するにおいて、関連した公知技術に対する具体的な説明が本発明の要旨を不明瞭にし得ると判断される場合、それについての詳細な説明は省略する。添付の図面において、一部の構成要素は、誇張又は省略したり、又は概略的に示しており、各構成要素の大きさは、実際の大きさを全的に反映するものではない。
【００２８】
以下、添付の図面を参照して本発明の実施形態を詳細に説明する。
【００２９】
本発明の好適な実施形態に係る管路タービン多段設置を通じた揚水発電タワーは、主に夜や発電容量に余裕があるとき、下部貯水槽３００から上部貯水槽２００に揚水をし、電力使用量が多くなったり断電する状況などの非常時に発電をする用途などに利用可能である。
【００３０】
揚水を通じて落差及び流量を確保し、揚水発電タワーの構造物の内部には螺旋傾斜道路１００を設置し、これを数個の内部骨組柱１１６及び外部骨組柱１１４によって支持するようになる。
【００３１】
螺旋傾斜道路１００は、地上の１階から最上階まで螺旋状に沿って継続して繰り返される鉄筋及びコンクリート構造物であって、その内側中央部に円状空間部が形成された状態であり、揚水発電タワーは全体的に円柱状の構造物に施工される。
【００３２】
本発明の揚水発電タワーは、円柱に沿って外部に数個の外部骨組柱１１４が立てられ、中央の円状空間部に沿って内部に数個の内部骨組柱１１６が立てられることによって全体の構造物を安定的に支持するようになる。
【００３３】
螺旋傾斜道路１００は、地上から最上階まで３６０度曲線道路のように螺旋状に沿って一つの傾斜した道路で連結され、多数の管路タービンユニット６００が十分に配置され得る長さを確保するようになる。
【００３４】
螺旋傾斜道路１００は、円周に沿って数回回転する螺旋状にすることによって、その上部に配管される導水配管路５００と多数の管路タービンユニット６００とが全体的に曲がることなく柔らかく連結されるようにし、曲がり部で発生する圧力損失を防止する。
【００３５】
この螺旋傾斜道路１００の最上部には、内部に水が充填される上部貯水槽２００が位置し、この上部貯水槽２００も各内部骨組柱１１６及び各外部骨組柱１１４によって堅固に支持される。
【００３６】
そして、地面又は地面と近接した位置に上部貯水槽２００との高さ差を維持した状態で水が内部に充填される下部貯水槽３００が備えられ、下部貯水槽３００と上部貯水槽２００との間に揚水管４１０が連結・配管される。
【００３７】
下部貯水槽３００は、上部貯水槽２００に充填される流量より多い流量を貯水できるようにやや大きく製作することが好ましく、揚水管４１０にはポンプ４００が設置され、下部貯水槽３００に充填された水が上部貯水槽２００に揚水されるようになる。
【００３８】
このとき、下部貯水槽３００がポンプ４００のフード管路と直接連結されるようにし、フード管路の前側にろ過網構造のフィルターを設置し、これによって固形物などの各種異物の流入を遮断するようになる。
【００３９】
前記ポンプ４００としては、揚水能力が十分な諸元を選定するようになるが、非常時に備えて、選択的に作動するように予備用ポンプをさらに設置することもできる。
【００４０】
本発明で使用される水を確保し、蒸発などで減少する流量を充填するためには、地下水を開発したり、上水道又は周辺の川や湖から水を揚水して調逹することもできる。このような本発明の  揚水発電タワーを駆動するためには、中央制御室及び変圧器を含む施設と事務室などの付帯施設とが共に備えられてもよい。
【００４１】
一方、前記螺旋傾斜道路１００の上部面に沿って導水配管路５００が配管され、上部貯水槽２００に充填された発電流量が、導水配管路５００の内部を介して下部貯水槽３００の位置まで落差によって移動できるようにする。
【００４２】
上部貯水槽２００は、枠及び底面が閉鎖され、上部は開放又は閉鎖されている容器状に揚水発電タワーの最上階に位置し、揚水発電タワーの面積と同一又は類似する底面積を有することができる。
【００４３】
本発明は、通常、断電発生などの非常時や電力不足などの状況で非常代替時間や電力補充時間に発電できるように上部貯水槽２００の貯蔵容量を設計・施工する必要がある。そして、平常時又は電力に余裕があるとき、ポンプ４００は、下部貯水槽３００の水を上部貯水槽２００に揚水管４１０を介して揚水し、常に発電が可能な状態に準備される。
【００４４】
上部貯水槽２００は、図７に示すように、底面が一側に傾斜して形成され、その一側底面には、導水配管路５００の上端に位置した流入口導水管路５１０とバルブ５１１とが順次接続される。
【００４５】
流入口導水管路５１０には、固形物などの異物が流量に含まれて管路タービンユニット６００に供給されることを防止するためにフィルターを設置することが好ましい。
【００４６】
また、流量が速く供給されながら渦巻き流線が発生し、空気が管路に流入することを防止するために、多数の隔板をジグザグ式に交互に設置することによって気泡の発生を抑制するようになり、導水配管路５００の中間に自動エアベント３９をさらに設置することが好ましい。また、上部貯水槽２００の位置まで設置される外部骨組柱１１４及び内部骨組柱１１６には、欄干又は隔壁を設置することができる。
【００４７】
そして、導水配管路５００の下端部の流量出口側にはバルブ５１１が設置され、これにより、下部貯水槽３００に移動する流量を制御するようになる。
【００４８】
発電のための流量が内部に通過する導水配管路５００には、管路タービンユニット６００を少なくとも２個以上、好ましくは５個以上多段に連続して設置し、図６乃至図８では、便宜上、管路タービンユニット６００が曲率を有する場合を示したが、下記のフレキシブル管１８部分を除いては、直線である駆動軸２に相応するように直線状を有する。
【００４９】
各管路タービンユニット６００では、揚水によって確保された流体（水）の位置エネルギーを運動エネルギーに変換し、運動エネルギーを電気エネルギーに変換する。小容量である管路タービンユニット６００のそれぞれの発電容量を全部合わせると、総発電容量を大容量に増大できるようになる。
【００５０】
管路タービンユニット６００で流体（水）が移動する管路２２の中央に設置される駆動軸２は、管路支持台本体４によって支持することによって、駆動軸２の回転運動を安定的に持続できるようにする。
【００５１】
管路支持台本体４は、同一の長さからなる数個（好ましくは４個）のアーム６を通じて管路２２の内側面によって支持された状態であって、アーム６は、管路２２の外側面に位置する固定台５と多数のボルトで締結され、管路２２と駆動軸２とが同軸を維持した状態で駆動軸２の回転を安定的に支持できるようにする。
【００５２】
管路支持台本体４は、例えば、２個に分割された状態であって、そのフランジに各ボルトで締結・組み立てられ、内部に各ベアリング２６、２７が設置された状態で円筒状に組み立てられる。
【００５３】
管路支持台本体４と駆動軸２との接触部には、例えば、３個のベアリング２７を構成し、これによって駆動軸２の回転を支持している。特に、管路支持台本体４と圧力支え台３との接触部間にはスラストベアリング２６を構成し、管路支持台本体４に対して軸方向の荷重を加えている圧力支え台３及び駆動軸２が抵抗なく回転しながら支持できるようにする。
【００５４】
駆動軸２の最先端は、水頭抵抗を減少させるために半円状又は尖ったコーン状に成形し、各管路支持台本体４の先端側には、圧力支え台３が駆動軸２と一体に結合されるように設置され、駆動軸２などの荷重が各管路支持台本体４によって支持されるようにし、前記スラストベアリング２６によって回転自在の状態で支持されるようにする。
【００５５】
圧力支え台３は、各管路支持台本体４の先端側ごとに設置されるが、管路２２に流れる流体の流速が速く、流量が多いと、圧力が大きくなり、重力荷重が大きくなるので、管路支持台本体４を図面のように３ヶ所に設置することによって駆動軸２を安定的に支持し、圧力及び荷重が分散されるようにした。
【００５６】
また、管路支持台本体４のアーム６は平板状にし、流線に抵抗する断面積は最小化し、軸方向の長さは、少なくとも管路２２の半径より長くし、プロペラ７によって撹乱された流線を再び元に戻し、発電効率を向上できるようにする。
【００５７】
各管路支持台本体４間には一つ又は複数のプロペラ７が設置され、管路２２の内部に流量が流れるようになると、流量状態量（落差、流量、流速）エネルギーによってプロペラ７と共に駆動軸２を回転させる。例えば、図面には、２個の２葉プロペラ７が直列に駆動軸２に設置される場合を示しているが、１個や２個の４葉プロペラ７が設置される場合などの多様な実施形態が可能である。
【００５８】
プロペラ７により、流体が有する直線運動エネルギーの一部が回転運動エネルギーに転換され、内部ギア８及び外部ギア１３を通じて発電機１０を駆動できるようになる。管路２２の内部では、内部ギア８が共に駆動するように駆動軸２に固定設置され、管路の外部では、内部ギア８の回転力を受けながら共に駆動する外部ギア１３が発電機１０と連結されている。
【００５９】
内部ギア８と外部ギア１３とを連結し、回転動力を伝達するための手段として、ステンレススチールワイヤからなるボールチェーン１７が備えられ、水が常に流れる管路の内部で機械的な損傷や腐食のおそれがないので、安定的な運転効率を達成できるようになる。ボールチェーン１７は、駆動軸２の回転運動エネルギーが大きいので、効果的且つ安定的な動力伝達のために、図面のように２列に設置することが好ましい。一方、ボールチェーン１７の代わりに、他の種類のチェーンやタイミングベルトなどの動力伝達手段を選択することも可能であることを明らかにしておく。
【００６０】
内部ギア８の両側にも管路支持台本体４が設置され、内部ギア８を安定的に回転可能な状態で支持するようになる。ボールチェーン１７を介して外部ギア１３に動力を伝達するために、管路２２には、ボールチェーン１７が通過する位置に穴３７が穿孔されている（図３及び図４参照）。
【００６１】
そして、外部ギア１３の外側に内部の水が流出することなく、外側から空気が流入しないようにケース１２で覆うことによって内部を密閉させる。ケース１２は、各ボルトを用いて組み立てられるようにし、各内部装置の組み立て又は分解を容易にする。
【００６２】
外部ギア１３と発電機１０とは同軸で連結され、ベアリング１４によって回転自在にシャフト１１を軸支するようになり、シャフト１１と発電機１０との間には、カップリング１５を介して動力が連結される。前記発電機１０は、発電機支え台２４によって管路２２の外側に安定的に設置されるようにする。
【００６３】
一方、前記管路２２の下端部にはフレキシブル管１８を溶接したり、そのフランジにボルトを締結して固定・付着する。この蛇管構造のフレキシブル管１８は、管路タービンユニット６００のほとんどが直線であるという点を補償し、螺旋傾斜道路１００に設置できるようにし、配管過程での長さ誤差を補正し、配管作業を容易に行えるようにするだけでなく、管路タービンユニット６００が多段に設置された状態でいずれか一つを抜き取って交替又は整備する際に便利に作業を行えるようにする。
【００６４】
また、全体の装置に振動が発生する場合、その振動を吸収し、地震などの天災地変が発生する場合にも、全体の配管に衝撃が伝達されないように緩衝作用をし、安定性を向上できるようにする。
【００６５】
このような構造からなる管路タービンユニット６００は、導水配管路５００に一定の間隔を維持した状態で少なくとも２個以上多段に繰り返し設置される。
【００６６】
最終端部に設置される管路タービンユニット６００の配管端には、排出管路５１８とバルブ５１１を順次配管した後、下部貯水槽３００を連結するようになる。
【００６７】
最上側に位置する上部貯水槽２００の底面から最下階に螺旋状曲線道路の形態で設置される螺旋傾斜道路１００に沿って導水配管路５００と一定間隔だけ多段に接続される多数の管路タービンユニット６００は、堅固に位置・固定させるようになる。
【００６８】
図７に示すように、本発明の揚水発電タワーは、ポンプ４００の揚水によって上部貯水槽２００に流量が確保されると、導水配管路５００の最上端に形成された流入口導水管路５１０を介して流入した流量が落下することによって管路タービンユニット６００の発電機１０を通じて発電する。そして、水は、最後の管路タービンユニット６００に連結された排出管路５１８及びバルブ５１１を経て下部貯水槽３００に貯蔵される。
【００６９】
そして、導水配管路５００の中間には、一定区間ごとにエアベント３９が備えられた各エアベント管３８を設置し、これにより、管の内部の空気を外部に排出させるようになる。そして、ポンプ４００を稼動し、下部貯水槽３００の水が上部貯水槽２００に充填されるように揚水作業が行われる。
【００７０】
本発明に係る管路タービン多段設置を通じた揚水発電タワーにおいては、低価格でありながら小型であるプロペラ７及び発電機１０などを用いて管路タービンユニット６００を構成することができ、導水配管路５００に管路タービンを多段設置することによって、低費用でも大きな電力を生産できるようになり、必要に応じて設置台数を容易に増減できるという長所がある。
【００７１】
また、本発明に係る管路タービン多段設置を通じた揚水発電タワーにおいては、確保された流量を循環しながら発電がなされるので、効率的な電力生産が可能であり、設置空間が節約されるという長所がある。
【００７２】
また、本発明に係る管路タービン多段設置を通じた揚水発電タワーを用いると、螺旋傾斜道路１００に沿って螺旋状に配管され、全体的に配管が長い各管路タービンユニット６００を多段設置することによって、水の位置エネルギーによるＥＳＳの構築が可能であるという長所がある。
【００７３】
以下、本発明に係る揚水発電タワーの運転に対して説明する。
【００７４】
まず、水道水又は地下水や周辺の貯水池などの水源池から下部貯水槽３００に水を充填し、ポンプ４００を稼動すると、揚水管４１０に沿って上部貯水槽２００の水位が一定水準以上になるように水を充填する。
【００７５】
そして、導水配管路５００のバルブ５１１を開放すると、上部貯水槽２００から落下する管路の流量が各管路タービンユニット６００を通過しながら流量状態量（落差、流量、流速）エネルギーによってプロペラ７が回転し、ボールチェーン１７によって動力が伝達される発電機１０から発電がなされ、各発電量を合わせて変圧器で変圧させた後、送電又は配電線路に電力を供給するようになる。
【００７６】
一方、多段に設置されるいずれか一つの管路タービンユニット６００に故障が発生した場合にも、該当の管路タービンユニット６００のプロペラ７が空回転をするだけで、残りの管路タービンユニット６００の発電を継続することができ、残りの多数の管路タービンユニット６００の生産電力に適宜変圧された電力を供給できるので、電力の供給において安定性が大きいという長所がある。
【００７７】
一方、導水配管路５００は、点検や補修が必要である場合、作業車両又は作業者が移動し、補修作業を行える空間として使用される作業道路空間１１７と、管路タービンユニット６００が設置される配管空間１１３とを備える。
【００７８】
作業者、装備及び設置される管路タービンユニット６００は、地上から補修や点検が必要な階の位置まで作業道路空間１１７を用いて徒歩又は自動車によって移動し得る。また、作業者又は装備などは、本発明の装置の中央に垂直に設置されるエレベーター７００を用いて所望の階まで迅速に移動することもできる。また、最上端の上部貯水槽２００より高い位置には展望台が設置され得るが、この場合、これをエレベーター７００と直ぐに連結させることもできる。
【００７９】
本発明の揚水発電タワーは、各管路タービンユニット６００において同一の発電容量で発電がなされ、これらが多段に連結されているので、総発電容量の増設が容易に可能になる。
【００８０】
このような本発明は、実需要地域を選択して建設するようになるので、送電塔や送電線路の建設を最小化させることができ、短期間に総発電容量の増設が可能になる。
【００８１】
以上では、本発明について実施形態を通じて詳細に説明したが、これは、本発明を具体的に説明するためのものであって、本発明に係る管路タービン多段設置を通じた揚水発電タワーは、これに限定されるものではなく、本発明の技術的思想内で当該分野で通常の知識を有する者によってその変形や改良が可能であることは明らかであると言えるだろう。
【００８２】
本発明の単純な変形及び変更は、いずれも本発明の領域に属するものであって、本発明の具体的な保護範囲は添付の特許請求の範囲によって明確になるだろう。
【図１】
2021535978.tif 000003
【図２】
2021535978.tif 000004
【図３】
2021535978.tif 000005
【図４】
2021535978.tif 000006
【図５】
2021535978.tif 000007
【図６】
2021535978.tif 000008
【図７】
2021535978.tif 000009
【図８】
2021535978.tif 000010
【図９】
2021535978.tif 000011
【国際調査報告】
2021535978.tif 000012
2021535978.tif 000013
2021535978.tif 000014
2021535978.tif 000015